【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報と人間もしくはユーザーが傘の近傍に存在している又は傘の近傍を移動していることに関する情報とに基づいて、前記アラーム等発生手段を制御する制御手段と、
を備えたことを特徴とする、傘アラームシステム。
【請求項２】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報と人間もしくはユーザーが傘の近傍に存在している又は傘の近傍を移動していることに関する情報とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項３】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報と人間もしくはユーザーが傘の近傍に存在している又は傘の近傍を移動していることに関する情報とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項４】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報と人間もしくはユーザーが傘の近傍に存在している又は傘の近傍を移動していることに関する情報とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項５】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報を受信、推測、検出もしくは取得する天候情報取得等手段と、
人間もしくはユーザーが傘の近傍に存在している又は傘の近傍を移動していることを認識、検出または推測するユーザー存在認識等手段と、
前記天候情報取得等手段からの情報または出力と前記ユーザー存在認識等手段からの情報または出力とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項６】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報を受信、推測、検出もしくは取得する天候情報取得等手段と、
人間もしくはユーザーが傘の近傍に存在している又は傘の近傍を移動していることを認識、検出または推測するユーザー存在認識等手段と、
前記天候情報取得等手段からの情報または出力と前記ユーザー存在認識等手段からの情報または出力とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項７】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
戸外もしくは室内の湿度もしくは温度などのデータに基づいて天候情報を推測、検出もしくは取得する、又は外部から天候情報を受信する天候情報推測等手段と、
人間もしくはユーザーが傘の近傍に存在している又は傘の近傍を移動していることを認識、検出または推測するユーザー存在認識等手段と、
前記天候情報推測等手段からの情報または出力と前記ユーザー存在認識等手段からの情報または出力とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項８】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
戸外もしくは室内の湿度もしくは温度などのデータに基づいて天候情報を推測、検出もしくは取得する、又は外部から天候情報を受信する天候情報推測等手段と、
人間もしくはユーザーが傘の近傍に存在している又は傘の近傍を移動していることを認識、検出または推測するユーザー存在認識等手段と、
前記天候情報推測等手段からの情報または出力と前記ユーザー存在認識等手段からの情報または出力とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項９】
傘もしくは傘カバーに、ユーザーに傘の存在を音声、音響、もしくは光などにより知らせるための告知情報またはアラームを発生するアラーム等発生手段を、内蔵もしくは外付けなどの形態で備えておき、
天候情報を受信、推測、検出もしくは取得する、天候情報取得等ステップと、
前記天候情報取得等ステップと同時に又はこれと相前後して、人間もしくはユーザーが傘の近傍に存在している又は傘の近傍を移動していることを、認識、検出または推測する、ユーザー存在認識等ステップと、
外出時に傘が必要であり且つ人間もしくはユーザーが前記傘の近傍に存在または前記傘の近傍を移動しているとき、前記アラーム等発生手段から前記告知情報またはアラームを発生させるアラーム等発生ステップと、
を含むことを特徴とする、傘アラーム方法。
【請求項１０】
傘もしくは傘カバーに、ユーザーに傘の存在を音声、音響、もしくは光などにより知らせるための告知情報またはアラームを発生するアラーム等発生手段を、内蔵もしくは外付けなどの形態で備えておき、
天候情報を受信、推測、検出もしくは取得する、天候情報取得等ステップと、
前記天候情報取得等ステップと同時に又はこれと相前後して、人間もしくはユーザーが傘の近傍に存在している又は傘の近傍を移動していることを、認識、検出または推測する、ユーザー存在認識等ステップと、
外出時に傘が必要であり且つ人間もしくはユーザーが前記傘の近傍に存在または前記傘の近傍を移動しているとき、前記アラーム等発生手段から前記告知情報またはアラームを発生させるアラーム等発生ステップと、
を含むことを特徴とする、傘アラーム方法。
【請求項１１】
傘もしくは傘カバーに、ユーザーに傘の存在を音声、音響、もしくは光などにより知らせるための告知情報またはアラームを発生するアラーム等発生手段を、内蔵もしくは外付けなどの形態で備えておき、
天候情報を受信、推測、検出もしくは取得する、天候情報取得等ステップと、
前記天候情報取得等ステップと同時に又はこれと相前後して、人間もしくはユーザーが傘の近傍に存在している又は傘の近傍を移動していることを、認識、検出または推測する、ユーザー存在認識等ステップと、
外出時に傘が必要であり且つ人間もしくはユーザーが前記傘の近傍に存在または前記傘の近傍を移動していると判断されるとき、前記アラーム等発生手段から前記告知情報またはアラームを発生させるアラーム等発生ステップと、
を含むことを特徴とする、傘アラーム方法。
【請求項１２】
傘もしくは傘カバーに、ユーザーに傘の存在を音声、音響、もしくは光などにより知らせるための告知情報またはアラームを発生するアラーム等発生手段を、内蔵もしくは外付けなどの形態で備えておき、
戸外もしくは室内の湿度もしくは温度などのデータに基づいて天候情報を推測、検出もしくは取得する、又は外部から天候情報を受信する、天候情報推測等ステップ手段と、
前記天候情報推測等ステップと同時に又はこれと相前後して、人間もしくはユーザーが傘の近傍に存在している又は傘の近傍を移動していることを、認識、検出または推測する、ユーザー存在認識等ステップと、
外出時に傘が必要であり且つ人間もしくはユーザーが前記傘の近傍に存在または前記傘の近傍を移動しているとき、前記アラーム等発生手段から前記告知情報またはアラームを発生させるアラーム等発生ステップと、
を含むことを特徴とする、傘アラーム方法。
【請求項１３】
傘もしくは傘カバーに、ユーザーに傘の存在を音声、音響、もしくは光などにより知らせるための告知情報またはアラームを発生するアラーム等発生手段を、内蔵もしくは外付けなどの形態で備えておき、
戸外もしくは室内の湿度もしくは温度などのデータに基づいて天候情報を推測、検出もしくは取得する、又は外部から天候情報を受信する、天候情報推測等ステップ手段と、
前記天候情報推測等ステップと同時に又はこれと相前後して、人間もしくはユーザーが傘の近傍に存在している又は傘の近傍を移動していることを認識、検出または推測する、ユーザー存在認識等ステップと、
外出時に傘が必要であり且つ人間もしくはユーザーが前記傘の近傍に存在または前記傘の近傍を移動しているとき、前記アラーム等発生手段から前記告知情報またはアラームを発生させるアラーム等発生ステップと、
を含むことを特徴とする、傘アラーム方法。
【請求項１４】
傘もしくは傘カバーに、ユーザーに傘の存在を音声、音響、もしくは光などにより知らせるための告知情報またはアラームを発生するアラーム等発生手段を、内蔵もしくは外付けなどの形態で備えておき、
戸外もしくは室内の湿度もしくは温度などのデータに基づいて天候情報を推測、検出もしくは取得する、又は外部から天候情報を受信する、天候情報推測等ステップ手段と、
前記天候情報推測等ステップと同時に又はこれと相前後して、人間もしくはユーザーが傘の近傍に存在している又は傘の近傍を移動していることを認識、検出または推測する、ユーザー存在認識等ステップと、
外出時に傘が必要であり且つ人間もしくはユーザーが前記傘の近傍に存在または前記傘の近傍を移動していると判断されるとき、前記アラーム等発生手段から前記告知情報またはアラームを発生させるアラーム等発生ステップと、
を含むことを特徴とする、傘アラーム方法。
【請求項１５】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報と人間もしくはユーザーが傘の近傍に存在している又は傘の近傍を移動していることに関する情報とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項１６】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報と人間もしくはユーザーが傘の近傍に存在している又は傘の近傍を移動していることに関する情報とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項１７】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報を受信、推測、検出もしくは取得する天候情報取得等手段と、
人間もしくはユーザーが傘の近傍に存在している又は傘の近傍を移動していることを認識、検出または推測するユーザー存在認識等手段と、
前記天候情報取得等手段からの情報または出力と前記ユーザー存在認識等手段からの情報または出力とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項１８】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
天候情報を受信、推測、検出もしくは取得する天候情報取得等手段と、
人間もしくはユーザーが傘の近傍に存在している又は傘の近傍を移動していることを認識、検出または推測するユーザー存在認識等手段と、
前記天候情報取得等手段からの情報または出力と前記ユーザー存在認識等手段からの情報または出力とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項１９】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
戸外もしくは室内の湿度もしくは温度などのデータに基づいて天候情報を推測、検出もしくは取得する、又は外部から天候情報を受信する天候情報推測等手段と、
人間もしくはユーザーが傘の近傍に存在している又は傘の近傍を移動していることを認識、検出または推測するユーザー存在認識等手段と、
前記天候情報推測等手段からの情報または出力と前記ユーザー存在認識等手段からの情報または出力とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。
【請求項２０】
傘もしくは傘カバーと、
前記傘もしくは傘カバーに内蔵もしくは外付けなどの形態で備えられており、ユーザーに傘の存在を音声、音響、もしくは光などにより知らせるための告知情報またはアラームを発生するアラーム等発生手段と、
戸外もしくは室内の湿度もしくは温度などのデータに基づいて天候情報を推測、検出もしくは取得する、又は外部から天候情報を受信する天候情報推測等手段と、
人間もしくはユーザーが傘の近傍に存在している又は傘の近傍を移動していることを認識、検出または推測するユーザー存在認識等手段と、
前記天候情報推測等手段からの情報または出力と前記ユーザー存在認識等手段からの情報または出力とに基づいて、外出時に傘が必要であり且つ人間もしくはユーザーが前記傘の近傍に存在または前記傘の近傍を移動していると判断されるとき、前記の告知情報またはアラームを発生するように前記アラーム等発生手段を制御する制御手段と、
を備えたことを特徴とする、傘アラームシステム。